(57)【要約】【課題】溝の清掃がし易いとともに、比較的広い面の清掃も捗る箒を提供すること。【解決手段】箒１は、柄１０の先端側に穂２０が設けられ、穂２０は、第１部分２２１と、第１部分２２１より硬い第２部分２２２と、が横方向に配列して配置され、第１部分２２１と第２部分２２２との境界Ｋを頂点として、第１部分２２１の穂先が横方向一端に向かって上り傾斜し、第２部分２２２の穂先が横方向他端に向かって上り傾斜している。【選択図】図１
0003198036.tif 000002
【実用新案登録請求の範囲】
【請求項１】
柄の先端側に穂が設けられた箒であって、
前記穂は、
第１部分と、前記第１部分より硬い第２部分と、が横方向に配列して配置され、
前記第１部分と前記第２部分との境界を頂点として、前記第１部分の穂先が横方向一端に向かって上り傾斜し、前記第２部分の穂先が横方向他端に向かって上り傾斜している箒。
【請求項２】
前記穂は、横方向の幅が、前記第２部分より前記第１部分の方が広い請求項１に記載の箒。
【考案の詳細な説明】
【技術分野】
【０００１】
本考案は、箒に関し、特に、柄の先端側に穂が設けられた箒に関する。
【背景技術】
【０００２】
従来、箒は、穂の長さが揃っているのが一般的であり、この穂先の形状は広い平面を掃くのには適しているが、部屋や廊下の隅等においては穂先の当りが悪いため、清掃が不充分になりがちであった。
【０００３】
そこで、柄と、柄の先端に設けられ、平面直角に形成した直角隅部と、直角隅部の両側に左右両側部が連設された箒本体と、を備え、直角隅部のブラシ群素材を硬目又は太目である箒が提案されている（特許文献１参照）。
この特許文献１の箒によれば、硬目の直角隅部により、部屋や廊下の隅のゴミ等を補足し易くなる。
【先行技術文献】
【特許文献】
【０００４】
【特許文献１】特開平１０−２２５４１１号公報
【考案の概要】
【考案が解決しようとする課題】
【０００５】
しかしながら、特許文献１の箒は、直角隅部の穂先と左右両側部の穂先とが一直線上に揃っている。このため、例えば、広い平面を清掃する場合には、例えば、右側の直角隅部と左右両側部との穂先を使用して、ゴミ等を補足することとなる。ところが、ゴミ等の内の細かい塵等は、硬目又は太目の直角隅部では捕捉できず、逆に散らしてしまう場合がある。
また、例えば、サッシのレール等の溝には、砂等の比較的大きいゴミが溜まっている。このような部分は、硬目又は太目の直角隅部により清掃することとなるが、直角隅部の先端を使用した場合、直角隅部の先端は直角であり、レール等の底前面を均一に清掃することはできない。また、例えば、直角隅部の右側の穂先を使用した場合、直角隅部に左右両側部が一直線上に揃っているため、直角隅部のみを溝等に挿入して清掃するのは困難である。
【０００６】
本考案は、溝の清掃がし易いとともに、比較的広い面の清掃も捗る箒を提供することを目的とする。
【課題を解決するための手段】
【０００７】
（１）  柄の先端側に穂が設けられた箒であって、
前記穂は、
第１部分と、前記第１部分より硬い第２部分と、が横方向に配列して配置され、
前記第１部分と前記第２部分との境界を頂点として、前記第１部分の穂先が横方向一端に向かって上り傾斜し、前記第２部分の穂先が横方向他端に向かって上り傾斜している箒。
【０００８】
（１）の構成によれば、箒は、柄の先端側に穂が設けられている。穂は、第１部分と、第１部分より硬い第２部分と、が横方向に配列して配置されている。
そして、穂は、第１部分と第２部分との境界を頂点として、第１部分の穂先が横方向一端に向かって上り傾斜し、第２部分の穂先が横方向他端に向かって上り傾斜している。
【０００９】
これにより、例えば、サッシのレール等の溝のゴミを掃き出す場合、硬い第２部分を溝に挿入するが、このとき、第１部分の穂先が横方向一端に向かって上り傾斜しているので、第１部分の穂先の、例えば、溝に連なる床や水切り等への接触が少なくなるので、第２部分を溝に挿入し、溝に沿って移動させるという清掃動作がし易くなる。
また、床面のように比較的広い面を掃く場合、第１部分の穂先を床面に当接させるが、このとき、第２部分の穂先が横方向他端に向かって上り傾斜しているので、第２部分の穂先がほとんど床面に接触しないので、硬い第２部分により床面の細かい塵等を拡散してしまうことがない。
したがって、溝の清掃がし易いとともに、比較的広い面の清掃も捗る箒を提供できる。
【００１０】
（２）  前記穂は、横方向の幅が、前記第２部分より前記第１部分の方が広い（１）に記載の箒。
【００１１】
（２）の構成によれば、第１部分の横方向の幅を広くしたので、この第１部分により、床面のように比較的広い面を掃くことで、清掃の作業効率が向上する。
【考案の効果】
【００１２】
本考案によれば、溝の清掃がし易いとともに、比較的広い面の清掃も捗る箒を提供できる。
【図面の簡単な説明】
【００１３】
【図１】本考案の実施形態に係る箒１の概要を説明する図である。
【図２】本実施形態に係る箒１の使用方法を説明する図である。
【図３】本実施形態に係る箒１の使用方法を説明する図である。
【図４】本実施形態の変形例に係る箒１００を説明する図である。
【図５】本実施形態の変形例に係る箒１００を説明する図である。
【考案を実施するための形態】
【００１４】
本考案の実施形態に係る箒１の構成を図面に基づいて説明する。
以下の実施形態の説明において、同一の構成には、同一の符号を付し、その説明を省略又は簡略化する。
図１は、本考案の実施形態に係る箒１の概要を説明する図である。
箒１は、柄１０と、穂２０と、を備える。
【００１５】
柄１０は、棒状体で形成され、使用者に把持される。
穂２０は、柄１０の先端に固定されたブラシ保持部２１と、ブラシ保持部２１に基端が保持されたブラシ部２２と、を備える。
【００１６】
ブラシ部２２は、比較的柔らかい素材（例えば、ホウキギ等の草、シダ等）が束ねられた第１部分２２１と、第１部分２２１より硬い素材（例えば、竹等）が束ねられた第２部分２２２と、を備える。
また、ブラシ部２２は、第１部分２２１と第２部分２２２とが横方向（図１中左右方向）に配列して配置され、第１部分２２１と第２部分２２２との境界Ｋを頂点として、第１部分２２１の穂先が横方向一端（図１中右端）に向かって上り傾斜し、第２部分２２２の穂先が横方向他端（図１中左端）に向かって上り傾斜している。
【００１７】
また、ブラシ部２２は、横方向の幅が、第２部分２２２より第１部分２２１の方が広く形成されている。例えば、ブラシ部２２は、横方向の幅の第１部分２２１と第２部分２２２との比率が７対３で形成されている。なお、ブラシ部２２は、横方向の幅の第１部分２２１と第２部分２２２との比率を同じにしてもよいし、箒１の主な用途によっては、横方向の幅を、第１部分２２１より第２部分２２２の方を広く形成してもよい。
【００１８】
なお、ブラシ部２２の素材は、第１部分２２１及び第２部分２２２共に、同一の材料（例えば、ポリプロピレン等のプラスチック素材等）で形成し、第２部分２２２の各素材の太さを、第１部分２２１の各素材の太さより太くすることで、第２部分２２２を第１部分２２１より硬くしてもよい。
【００１９】
次に、箒１の使用方法について説明する。
図２及び図３は、本実施形態に係る箒１の使用方法を説明する図である。
図２に示すように、例えば、使用者は、溝の一例であるサッシのレールＲのゴミを掃き出す場合、硬い第２部分２２２をレールＲに挿入し、レールＲに沿って移動させて、レールＲ内を清掃する。このとき、第１部分２２１の穂先が横方向一端に向かって上り傾斜しているので、第１部分２２１の穂先の、例えば、レールＲに連なる床面Ｆや水切りＰへの接触が少なくなるので、第２部分２２２を使用したレールＲの清掃がし易くなる。
【００２０】
また、図３に示すように、例えば、使用者は、比較的広い面の一例である床面Ｆを掃く場合、第１部分２２１の穂先を床面Ｆに当接させる。このとき、第２部分２２２の穂先が横方向他端に向かって上り傾斜しているので、第２部分２２２の穂先がほとんど床面Ｆに接触しないので、硬い第２部分２２２により床面Ｆの細かい塵等を拡散してしまうことがない。
したがって、本実施形態の箒１によれば、溝の清掃がし易いとともに、比較的広い面の清掃も捗る箒を提供できる。
【００２１】
次に、本実施形態の変形例に係る箒１００について説明する。
図４及び５は、本実施形態の変形例に係る箒１００を説明する図である。
変形例に係る箒１００は、柄にはたき３０が取り付けられている点と、ブラシ保持部にちり取り４０が取り付けられている点が、本実施形態に係る箒１０と異なる。
箒１００は、柄１０Ａと、穂２０Ａと、はたき３０と、ちり取り４０と、を備える。
【００２２】
柄１０Ａは、円筒形状に形成され、内部にはたき３０の一部が収容される。なお、柄１０Ａは、円筒形状に限らず、棒状体で形成し、外周面にはたき３０を着脱自在に保持するはたき保持部を設けてもよい。
【００２３】
穂２０Ａは、ブラシ保持部２１Ａと、ブラシ部２２と、を備える。
図５に示すように、ブラシ保持部２１Ａは、外周より内側にちり取り４０の外周を、少なくとも互いに対向する２点で係止するちり取り係止部２１１を備える。
なお、本実施形態において、ちり取り係止部２１１は、ちり取り４０の全外周と係合する側壁で形成しているが、ちり取り４０の外周を、少なくとも互いに対向する２点で係止し、ちり取り４０を保持できれば、任意の形態とすることができる。
このように、ブラシ保持部２１Ａの外周より内側に係止するちり取り係止部２１１を備えることで、ブラシ保持部２１Ａの外周より内側でちり取り４０を保持できるので、清掃時や収納時にちり取り４０が邪魔になるのを防止できる。
【００２４】
はたき３０は、棒状体の先端複数の布状体が設けられた本体３１と、本体３１の上端に設けられた把持部３２と、を備える。
はたき３０は、使用しない時には、本体３１が柄１０Ａ内部に挿入され、把持部３２の下端が柄１０Ａの上端と当接している。
使用者は、把持部３２を把持し、本体３１を柄１０Ａ内部から抜き出すことで、はたき３０を使用した清掃を行い、この清掃が終わったら、再び、本体３１を柄１０Ａ内部に挿入する。
【００２５】
ちり取り４０は、ゴミが載置される底板と、ゴミを掃き入れる方向（図５中Ｆ方向）を除いて底板の側縁から立設する壁板と、を有する貯留部４１と、ゴミを掃き入れる方向の反対方向（図５中Ｒ方向）において、貯留部４１の壁板上端から突出し、ゴミを掃き入れる方向の反対方向に延びる把持部４２と、を備える。
ちり取り４０は、使用しない時には、貯留部４１の壁板を、ブラシ保持部２１Ａのちり取り係止部２１１に係止させておく、このとき、把持部４２は、ブラシ保持部２１Ａから上方に突出している。
使用者は、把持部４２を把持し、ちり取り４０をちり取り係止部２１１から取り外すことで、ちり取り４０を使用し、この使用が終わったら、再び、貯留部４１の壁板を、ブラシ保持部２１Ａのちり取り係止部２１１に係止させる。
【００２６】
このような箒１００によれば、箒１の作用効果に加え、箒、ちり取り及びはたきを一体的にした状態で、収納し、掃き掃除ができるので、収納スペースをコンパクトにできるとともに、清掃時に箒、ちり取り及びはたきを夫々持ち歩きながら清掃する必要がなくなるので、清掃の作業効率が向上する。
【００２７】
なお、本考案は前記実施形態に限定されるものではなく、本考案の目的を達成できる範囲での変形、改良等は本考案に含まれるものである。
【符号の説明】
【００２８】
１      箒
１０    柄
２０    穂
２２１  第１部分
２２２  第２部分
Ｋ      境界
【図１】
0003198036.tif 000003
【図２】
0003198036.tif 000004
【図３】
0003198036.tif 000005
【図４】
0003198036.tif 000006
【図５】
0003198036.tif 000007